(57)【特許請求の範囲】
【請求項１】
画像処理装置であって、
画像処理部と、
前記画像処理部に電力を供給する電源部と、
前記電源部を制御する制御部と、
ユーザから電力制御操作を受け付ける電源操作部であって、通常電力制御操作、及び、前記通常電力制御操作とは異なる特殊電力制御操作を受け付ける電源操作部と、
を備え、
前記制御部は、
前記電力制御操作が開始されると、当該画像処理装置の状態が、前記通常電力制御操作に応じて前記画像処理部への電力の供給／停止を切り替えることを抑制する特殊状態であるか否かを判断する状態判断処理と、
前記電源操作部によって受け付けられた前記電力制御操作が前記特殊電力制御操作であるか否かを判断する特殊操作判断処理と、
前記電源操作部によって受け付けられた前記電力制御操作が前記通常電力制御操作であるか否かを判断する通常操作判断処理と、
前記電源部を制御して前記画像処理部に電力を供給する動作又は電力の供給を停止する動作を行わせる電力制御処理であって、
前記状態判断処理によって前記画像処理装置の状態が前記特殊状態ではないと判断された場合、又は、前記状態判断処理によって前記画像処理装置の状態が前記特殊状態であると判断され、且つ、前記特殊操作判断処理によって前記電力制御操作が前記特殊電力制御操作であると判断された場合は前記電源操作部によって受け付けられた前記電力制御操作に応じて前記電源部に前記動作を行わせ、
前記状態判断処理によって前記画像処理装置の状態が前記特殊状態であると判断され、且つ、前記特殊操作判断処理によって前記電力制御操作が前記特殊電力制御操作ではないと判断された場合は前記動作を行わせない電力制御処理と、
を実行し、
前記電力制御処理において、前記状態判断処理によって当該画像処理装置の状態が前記特殊状態ではないと判断された場合であっても、前記通常操作判断処理によって前記電力制御操作が前記通常電力制御操作ではないと判断された場合は前記電源部に前記動作を行わせない、画像処理装置。
【請求項２】
請求項１に記載の画像処理装置であって、
前記画像処理部に電力が供給されたことがあるか否かを示す電力供給情報を記憶する不揮発性メモリを備え、
当該画像処理装置が工場から出荷される時点では、前記不揮発性メモリには前記画像処理部に電力が供給されたことがないことを示す前記電力供給情報が記憶されており、
前記制御部は、
前記状態判断処理において、前記画像処理部に電力が供給されたことがないことを示す前記電力供給情報が前記不揮発性メモリに記憶されている場合は前記特殊状態であると判断し、
前記電力制御処理において、前記状態判断処理によって前記画像処理装置の状態が前記特殊状態であると判断され、且つ、前記特殊操作判断処理によって前記電力制御操作が前記特殊電力制御操作であると判断された場合は前記電源部を制御して前記画像処理部への電力の供給を行わせるとともに、前記電力供給情報を、工場出荷後に前記画像処理部に電力が供給されたことがあることを示す情報に書き換える、画像処理装置。
【請求項３】
請求項１又は請求項２に記載の画像処理装置であって、
前記動作は前記画像処理部に電力を供給する動作であり、
前記特殊状態は、前記画像処理部への電力の供給が停止されてからの経過時間が基準時間以内である状態である、画像処理装置。
【請求項４】
請求項１乃至請求項３のいずれか一項に記載の画像処理装置であって、
前記画像処理部によって処理されるデータを記憶する揮発性メモリを備え、
前記動作は前記画像処理部への電力の供給を停止する動作であり、
前記特殊状態は、前記揮発性メモリに前記データが記憶されている状態である、画像処理装置。
【請求項５】
請求項４に記載の画像処理装置であって、
前記データは第１種のデータと第２種のデータとに区分され、
前記特殊状態は、前記第１種のデータが前記揮発性メモリに記憶されている状態である、画像処理装置。
【請求項６】
請求項１乃至請求項５のいずれか一項に記載の画像処理装置であって、
前記特殊状態は、前記画像処理部に異常が発生している状態である、画像処理装置。
【請求項７】
請求項１乃至請求項６のいずれか一項に記載の画像処理装置であって、
前記特殊電力制御操作は、前記通常電力制御操作よりも複雑な操作である、画像処理装置。
【請求項８】
画像処理装置であって、
画像処理部と、
前記画像処理部に電力を供給する電源部と、
前記電源部を制御する制御部と、
ユーザから電力制御操作を受け付ける電源操作部であって、通常電力制御操作、及び、前記通常電力制御操作とは異なる特殊電力制御操作を受け付ける電源操作部と、
前記画像処理部によって処理されるデータを記憶する揮発性メモリと、
を備え、
前記制御部は、
前記電力制御操作が開始されると、当該画像処理装置の状態が、前記通常電力制御操作に応じて前記画像処理部への電力の供給／停止を切り替えることを抑制する特殊状態であるか否かを判断する状態判断処理と、
前記電源操作部によって受け付けられた前記電力制御操作が前記特殊電力制御操作であるか否かを判断する特殊操作判断処理と、
前記電源部を制御して前記画像処理部に電力を供給する動作又は電力の供給を停止する動作を行わせる電力制御処理であって、
前記状態判断処理によって前記画像処理装置の状態が前記特殊状態ではないと判断された場合、又は、前記状態判断処理によって前記画像処理装置の状態が前記特殊状態であると判断され、且つ、前記特殊操作判断処理によって前記電力制御操作が前記特殊電力制御操作であると判断された場合は前記電源操作部によって受け付けられた前記電力制御操作に応じて前記電源部に前記動作を行わせ、
前記状態判断処理によって前記画像処理装置の状態が前記特殊状態であると判断され、且つ、前記特殊操作判断処理によって前記電力制御操作が前記特殊電力制御操作ではないと判断された場合は前記動作を行わせない電力制御処理と、
を実行し、
前記動作は前記画像処理部への電力の供給を停止する動作であり、
前記データは第１種のデータと第２種のデータとに区分され、
前記特殊状態は、前記第１種のデータが前記揮発性メモリに記憶されている状態である、画像処理装置。
【発明の詳細な説明】
【技術分野】
【０００１】
画像処理部への電力の供給／停止を切り替える技術に関する。
【背景技術】
【０００２】
従来、印刷装置において、ページバッファに未印刷データが格納されている状態で電源スイッチがオフにされた場合は電源をオフにしないものが知られている（例えば、特許文献１参照）。
【先行技術文献】
【特許文献】
【０００３】
【特許文献１】特開平５−２４６１１８号公報
【発明の概要】
【発明が解決しようとする課題】
【０００４】
しかしながら、電源をオフにすると未印刷データが消えてしまうなどの電源をオフにすることが望ましくない状況であっても、ユーザはそのことを承知の上で印刷装置の電源をオフにしたい場合もある。従来はこのような場合について検討されていなかった。
本明細書では、画像処理装置の状態が通常電力制御操作により画像処理部への電力の供給／停止を切り替えることが望ましくない特殊状態である場合に、ユーザがそのことに気付かずに電力の供給／停止を切り替えてしまうことを抑制しつつ、特殊状態であることを承知の上で電力の供給／停止を切り替えたいユーザが電力の供給／停止を切り替えることができる技術を開示する。
【課題を解決するための手段】
【０００５】
本明細書によって開示される画像処理装置は、画像処理部と、前記画像処理部に電力を供給する電源部と、前記電源部を制御する制御部と、ユーザから電力制御操作を受け付ける電源操作部であって、通常電力制御操作、及び、前記通常電力制御操作とは異なる特殊電力制御操作を受け付ける電源操作部と、を備え、前記制御部は、前記電力制御操作が開始されると、当該画像処理装置の状態が、前記通常電力制御操作に応じて前記画像処理部への電力の供給／停止を切り替えることを抑制する特殊状態であるか否かを判断する状態判断処理と、前記電源操作部によって受け付けられた前記電力制御操作が前記特殊電力制御操作であるか否かを判断する特殊操作判断処理と、前記電源部を制御して前記画像処理部に電力を供給する動作又は電力の供給を停止する動作を行わせる電力制御処理であって、前記状態判断処理によって前記画像処理装置の状態が前記特殊状態ではないと判断された場合、又は、前記状態判断処理によって前記画像処理装置の状態が前記特殊状態であると判断され、且つ、前記特殊操作判断処理によって前記電力制御操作が前記特殊電力制御操作であると判断された場合は前記電源操作部によって受け付けられた前記電力制御操作に応じて前記電源部に前記動作を行わせ、前記状態判断処理によって前記画像処理装置の状態が前記特殊状態であると判断され、且つ、前記特殊操作判断処理によって前記電力制御操作が前記特殊電力制御操作ではないと判断された場合は前記動作を行わせない電力制御処理と、を実行する。
【０００６】
上記画像処理装置によると、特殊状態ではない場合は、通常電力制御操作及び特殊電力制御操作のいずれの操作が行われても電力の供給／停止が切り替えられる。これに対し、特殊状態である場合は特殊電力制御操作でなければ電力の供給／停止が切り替えられない。
このため、普段通常電力制御操作によって電力の供給／停止を切り替えているユーザの場合は、ユーザが特殊状態であることに気付かずに通常電力制御操作を行ってしまっても電力の供給／停止が切り替えられない。
通常電力制御操作を行っても電力の供給／停止が切り替えられない場合は、ユーザは特殊状態であることに気付くことができる。その場合に、特殊状態であることを承知の上で電力の供給／停止を切り替えたいユーザは、特殊電力制御操作を行うことにより、電力の供給／停止を切り替えることができる。
よって上記画像処理装置によると、画像処理装置の状態が通常電力制御操作により画像処理部への電力の供給／停止を切り替えることが望ましくない特殊状態である場合に、ユーザがそのことに気付かずに電力の供給／停止を切り替えてしまうことを抑制しつつ、特殊状態であることを承知の上で電力の供給／停止を切り替えたいユーザが電力の供給／停止を切り替えることを可能にすることができる。
【０００７】
また、前記制御部は、前記電源操作部によって受け付けられた前記電力制御操作が前記通常電力制御操作であるか否かを判断する通常操作判断処理を実行し、前記電力制御処理において、前記状態判断処理によって当該画像処理装置の状態が前記特殊状態ではないと判断された場合であっても、前記通常操作判断処理によって前記電力制御操作が前記通常電力制御操作ではないと判断された場合は前記電源部に前記動作を行わせないようにしてもよい。
【０００８】
上記画像処理装置によると、全てのユーザについて、特殊状態ではないときの電力制御操作と特殊状態であるときの電力制御操作とを異ならせることができるので、特殊状態であることに気付かずに電力の供給／停止が切り替えられることをより確実に低減できる。
【０００９】
また、上記画像処理装置は、前記画像処理部に電力が供給されたことがあるか否かを示す電力供給情報を記憶する不揮発性メモリを備え、当該画像処理装置が工場から出荷される時点では、前記不揮発性メモリには前記画像処理部に電力が供給されたことがないことを示す前記電力供給情報が記憶されており、前記制御部は、前記状態判断処理において、前記画像処理部に電力が供給されたことがないことを示す前記電力供給情報が前記不揮発性メモリに記憶されている場合は前記特殊状態であると判断し、前記電力制御処理において、前記状態判断処理によって前記画像処理装置の状態が前記特殊状態であると判断され、且つ、前記特殊操作判断処理によって前記電力制御操作が前記特殊電力制御操作であると判断された場合は前記電源部を制御して前記画像処理部への電力の供給を行わせるとともに、前記電力供給情報を、工場出荷後に前記画像処理部に電力が供給されたことがあることを示す情報に書き換えてもよい。
【００１０】
輸送時の振動から画像処理部を保護するために工場出荷の際に画像処理部が保護シートによって保護されている場合がある。その場合、保護シートを取り除かずに画像処理部に電力を供給すると画像処理部が故障する虞がある。つまり、工場出荷後に画像処理部に電力が供給されたことがない状態は、通常電力制御操作により画像処理部への電力の供給／停止を切り替えることが望ましくない特殊状態であるといえる。
上記画像処理装置によると、工場出荷後に画像処理部に電力が供給されたことがない場合は通常電力制御操作が受け付けられても画像処理部に電力を供給しないことにより、保護シートが取り除かれずに画像処理部に電力が供給されてしまう虞を低減できる。
【００１１】
また、前記動作は前記画像処理部に電力を供給する動作であり、前記特殊状態は、前記画像処理部への電力の供給が停止されてからの経過時間が基準時間以内である状態であってもよい。
【００１２】
上記画像処理装置によると、チャタリングによって画像処理部に誤って電力が供給されてしまうことを低減できる。
【００１３】
また、上記画像処理装置は、前記画像処理部によって処理されるデータを記憶する揮発性メモリを備え、前記動作は前記画像処理部への電力の供給を停止する動作であり、前記特殊状態は、前記揮発性メモリに前記データが記憶されている状態であってもよい。
【００１４】
上記画像処理装置によると、揮発性メモリにデータが記憶されていることを知らずにユーザが画像処理部への電力の供給を停止してしまう虞を低減できる。
【００１５】
また、前記データは第１種のデータと第２種のデータとに区分され、前記特殊状態は、前記第１種のデータが前記揮発性メモリに記憶されている状態であってもよい。
【００１６】
例えば、画像処理装置への電力の供給が停止されて揮発性メモリからデータが消えてしまったとしても、同じデータを揮発性メモリに再度記憶させることが容易であれば、そのデータは消えてしまっても影響が小さいといえる。
これに対し、元のデータがないことにより同じデータを揮発性メモリに再度記憶させることが困難である場合は、データが消えてしまうと影響が大きいといえる。
上記画像処理装置によると、例えば消えてしまうと影響が大きいデータを第１種のデータに区分し、消えてしまっても影響が小さいデータを第２種のデータに区分することにより、消えてしまった場合の影響が大きいデータを消え難くすることができる。
なお、データをどのような基準で第１種のデータと第２種のデータとに区分するかは適宜に決定することができる。
【００１７】
また、前記特殊状態は、前記画像処理部に異常が発生している状態であってもよい。
【００１８】
画像処理部に異常が発生した場合は、異常が解消された後に特定の処理を実行することがある。この場合、異常が発生している状態で画像処理部への電力の供給が停止されると、次回電力が供給されたとき、電力の供給が停止している間に異常が解消されたか否かが判らず、上述した特定の処理を実行すべきか否かを正確に判断することが困難になる。
また、画像処理部に異常が発生した場合は、異常が解消されずに画像処理部に電力が供給されると、電力を供給した後の初期化動作によって異常が深刻化する虞がある。
このように、画像処理部に異常が発生した場合は、画像処理部への電力の供給／停止を切り替えることは望ましくない。
上記画像処理装置によると、画像処理部に異常が発生している場合は特殊電力制御操作を行わなければ画像処理部への電力の供給／停止が切り替えられないので、異常が発生している状態で電力の供給／停止が切り替えられてしまう虞を低減できる。
【００１９】
また、前記特殊電力制御操作は、前記通常電力制御操作よりも複雑な操作であってもよい。
【００２０】
上記画像処理装置によると、通常電力制御操作により画像処理部への電力の供給／停止を切り替えることが望ましくない特殊状態である場合に、特殊状態であることを知らないユーザによって容易に電力の供給／停止が切り替えられてしまい難くすることができる。
【００２１】
なお、本明細書によって開示する技術は、画像処理システム、画像処理方法、画像処理プログラム、画像処理プログラムを記録した記録媒体等の種々の態様で実現することができる。
【図面の簡単な説明】
【００２２】
【図１】実施形態１に係る複合機のブロック図。
【図２】電源オン処理の流れを示すフローチャート。
【図３】電源をオンにする場合における状態判断処理の流れを示すフローチャート。
【図４】電源オフ処理の流れを示すフローチャート。
【図５】電源をオフにする場合における状態判断処理の流れを示すフローチャート。
【図６】実施形態２に係る電源オン処理の流れを示すフローチャート。
【発明を実施するための形態】
【００２３】
＜実施形態１＞
実施形態１を図１ないし図５によって説明する。
【００２４】
（１）複合機の電気的構成
先ず、図１を参照して、実施形態１に係る画像処理装置の電気的構成について説明する。実施形態１に係る画像処理装置は、ＰＣプリント機能、スキャン機能、コピー機能、ファクシミリ送受信機能、メール印刷機能、メール通知機能などを有する所謂複合機である。以降の説明ではファクシミリをＦＡＸと略す。
【００２５】
複合機１は、制御部１０、設定記憶部１１、印刷部１２、画像読取部１３、ＦＡＸ送受信部１４、操作パネル１５、電源部１６、電源操作部１７、通信インタフェース部１８などを備えて構成されている。
【００２６】
制御部１０は、ＣＰＵ１０ａ、ＲＯＭ１０ｂ、ＲＡＭ１０ｃを備えている。ＣＰＵ１０ａはＲＯＭ１０ｂに記憶されているプログラムを実行することによって複合機１の各部を制御する。また、ＣＰＵ１０ａは所定のプログラムを実行することによってソフトウェアクロックとしても機能する。ＲＯＭ１０ｂにはＣＰＵ１０ａによって実行されるプログラムやデータなどが記憶されている。ＲＡＭ１０ｃはＣＰＵ１０ａが各種の処理を実行するための主記憶装置として用いられる。ＲＡＭ１０ｃは揮発性メモリの一例である。
【００２７】
設定記憶部１１は、フラッシュメモリやハードディスクなどの不揮発性のメモリを用いて構成されており、各種の設定値を記憶する。設定記憶部１１は不揮発性メモリの一例である。
印刷部１２は、印刷用紙などのシートが収容されるシートトレイ、シートトレイに収容されているシートを１枚ずつ搬送する搬送部、搬送部によって搬送されているシートに電子写真方式やインクジェット方式によって画像を形成する画像形成部などを備えて構成されている。
【００２８】
また、印刷部１２はシートの搬送経路に沿って互いに離間して配置されている複数のジャムセンサを有している。各ジャムセンサはそのジャムセンサの検出範囲内のシートの有無を検出し、検出結果を制御部１０に出力する。制御部１０は各ジャムセンサから検出結果を取得することにより、ジャムが発生しているか否かを判断することができる。
【００２９】
画像読取部１３は、原稿が積載される原稿トレイ、原稿トレイに積載されている原稿を１枚ずつ搬送する搬送部、イメージセンサなどを備えており、搬送部によって搬送されている原稿を読み取って画像データを生成する。画像読取部１３もジャムセンサを有している。
ＦＡＸ送受信部１４は、電話回線を介して外部のＦＡＸ装置との間で画像データのＦＡＸ送受信を行う。
印刷部１２、画像読取部１３、及び、ＦＡＸ送受信部１４はそれぞれ画像処理部の一例である。
【００３０】
操作パネル１５は、複数の操作ボタンや液晶ディスプレイなどの表示装置を備えており、ユーザから各種の操作を受け付ける。
【００３１】
電源部１６は例えばスイッチング電源であり、複合機１の各部に電力を供給する。
ここで、複合機１の電源をオンにするとは、電源部１６から複合機１の制御部１０以外の各部（少なくとも画像処理部のうちのいずれか）に電力を供給することをいう。「制御部１０以外」としたのは、電源がオフの状態で電源キー１７ａが押下されると先ず制御部１０に電力が供給され、電力が供給された制御部１０が電源部１６を制御して各部に電力を供給させるからである。つまり、ここでいう各部には、既に電力の供給が開始されている制御部１０は除外される。
また、複合機１の電源をオフにするとは、電源部１６から検出部１７ｂ以外（少なくとも画像処理部のうちのいずれか）への電力の供給を停止することをいう。また、ここでは電源をオフにする場合は制御部１０への電力の供給も停止されるものとする。
なお、ここでは電源がオフのときに検出部１７ｂ以外への電力の供給を停止する場合を例に説明するが、これは一例であり、必要であれば電源がオフのときに検出部１７ｂ以外の部にも電力を供給してもよい。例えば制御部１０は電源がオフのときにも電力が供給されてもよい。
【００３２】
電源操作部１７は電源キー１７ａと検出部１７ｂとを備えている。
電源キー１７ａは複合機１の電源をオン／オフする電力制御操作をユーザから受け付けるスイッチである。電源キー１７ａは、次に説明する通常電力制御操作、及び、通常電力制御操作とは異なる特殊電力制御操作を受け付ける。
【００３３】
通常電力制御操作は電源キー１７ａを連続して押している時間が例えば２秒未満の操作である。つまり、通常電力制御操作は所謂「短押し」である。例えば複合機１の操作マニュアルには通常電力制御操作によって電源をオン／オフするよう記載されており、ユーザは普段は通常電力制御操作によって電源のオン／オフを行っているものとする。
【００３４】
特殊電力制御操作は、電源キー１７ａを連続して押している時間が例えば２秒以上の操作である。つまり、特殊電力制御操作は所謂「長押し」である。特殊電力制御操作は通常電力制御操作よりも電源キー１７ａを押下する時間が長いので、通常電力制御操作よりも複雑な操作である。
【００３５】
検出部１７ｂは電源キー１７ａと電気的に接続されており、電源キー１７ａによる電力制御操作を検出する。具体的には、検出部１７ｂは電源キー１７ａを監視し、電源キー１７ａが押下されると電力制御操作が開始されたことをＣＰＵ１０ａに通知する。また、検出部１７ｂは計時機能を有しており、電源キー１７ａが押下されてから離されるまでの時間を計測することによって通常電力制御操作及び特殊電力制御操作のいずれが行われたかを判断し、いずれか行われた電力制御操作をＣＰＵ１０ａに通知する。
【００３６】
ここで、複合機１の電源がオフのときはＣＰＵ１０ａに電力が供給されていない。このため、検出部１７ｂは、複合機１の電源がオフのときに電源キー１７ａが押下された場合は、先ず電源部１６を制御してＣＰＵ１０ａに電力を供給させる。そして、検出部１７ｂは、ＣＰＵ１０ａが起動した後に、電力制御操作が開始されたこと、及び、行われた電力制御操作をＣＰＵ１０ａに通知する。
【００３７】
通信インタフェース部１８はパーソナルコンピュータ（ＰＣ）などの外部の装置と通信するためのインタフェースである。通信インタフェース部１８はＬＡＮ（Ｌｏｃａｌ  Ａｒｅａ  Ｎｅｔｗｏｒｋ）やインターネットなどの通信ネットワークを介して外部の装置と通信するものであってもよいし、ＵＳＢ（Ｕｎｉｖｅｒｓａｌ  Ｓｅｒｉａｌ  Ｂｕｓ）ケーブルやパラレルケーブルを介して外部の装置と通信するものであってもよい。また、通信インタフェース部１８は外部の装置と有線によって通信するものであってもよいし、無線によって通信するものであってもよい。
【００３８】
（２）複合機の機能
以下、複合機１が備える機能のうち、ＰＣプリント機能、ＦＡＸ送受信機能、メール印刷機能、及び、メール通知機能について説明する。
【００３９】
（ａ）ＰＣプリント機能
ＰＣプリント機能は、ＰＣから印刷ジョブを受信し、受信した印刷ジョブに基づいてシートに画像を印刷する機能である。ＰＣプリント機能によって受信した印刷ジョブは、印刷待ち状態の印刷ジョブとしてＲＡＭ１０ｃに記憶される。印刷待ち状態の印刷ジョブは、プリンタがその印刷ジョブを印刷可能な状態になり次第、印刷される。
【００４０】
ＰＣプリント機能ではセキュア印刷を実行することもできる。以下、セキュア印刷の流れについて説明する。
ＰＣはユーザからセキュア印刷が指示されると印刷ジョブに認証情報を設定して複合機１に送信する。以降の説明では認証情報が設定されている印刷ジョブのことをセキュア印刷ジョブという。複合機１はＰＣからセキュア印刷ジョブを受信した場合はそのセキュア印刷ジョブを直ぐには実行せず、認証待ち状態のセキュア印刷ジョブとしてＲＡＭ１０ｃに記憶する。
【００４１】
そして、複合機１は、ユーザが複合機１の操作パネル１５を操作して認証情報を入力したことを受け付けると、認証待ち状態のセキュア印刷ジョブのうちユーザが操作パネル１５を操作して入力した認証情報と一致する認証情報が設定されているセキュア印刷ジョブを印刷待ち状態に変更する。このようにすれば、ＰＣで印刷を指示したユーザが印刷結果を取りに複合機１まで行く間にその印刷結果が他人に見られてしまわないようすることができる。
【００４２】
（ｂ）ＦＡＸ送受信機能
ＦＡＸ送受信機能は、画像読取部１３によって原稿を読み取って画像データを生成し、生成した画像データをＦＡＸ送受信部１４によって外部のＦＡＸ装置にＦＡＸ送信する機能、及び、ＦＡＸ送受信部１４によって外部のＦＡＸ装置からＦＡＸ受信した画像データが表す画像を印刷部１２によってシートに印刷する機能である。
【００４３】
画像データをＦＡＸ送信する場合は、生成した画像データはＦＡＸ送信待ち状態の画像データとしてＲＡＭ１０ｃに記憶され、送信先のＦＡＸ装置との接続が確立されるのを待ってＦＡＸ送信される。
画像データをＦＡＸ受信した場合は、複合機１は受信した画像データから印刷ジョブを生成し、印刷待ち状態の印刷ジョブとしてＲＡＭ１０ｃに記憶させる。
【００４４】
（ｃ）メール印刷機能
メール印刷機能は、外部のＰＣから電子メールに画像データを添付して複合機１に送信し、電子メールを受信した複合機１がその電子メールに添付されている画像データを印刷する機能である。電子メールによって画像データを受信した場合は、複合機１は受信した画像データから印刷ジョブを生成し、印刷待ち状態の印刷ジョブとしてＲＡＭ１０ｃに記憶させる。
【００４５】
（ｄ）メール通知機能
メール通知機能は、複合機１の状態を管理者に電子メールで通知する機能である。複合機１の状態を示す情報はＲＡＭ１０ｃに記憶され、１日に１回などの所定のタイミングで管理者に送信される。
【００４６】
（３）特殊状態
次に、通常電力制御操作により画像処理部への電力の供給／停止を切り替えることが望ましくない特殊状態について、停止から供給に切り替える場合、及び、供給から停止に切り替える場合に分けて説明する。なお、特殊状態とは通常電力制御操作に応じて画像処理部への電力の供給／停止を切り替えることを抑制する状態であると言い換えることができる。
ここで、停止から供給に切り替える場合とはすなわち複合機１の電源をオンにする場合である。供給から停止に切り替える場合とはすなわち複合機１の電源をオフにする場合である。
【００４７】
（３−１）停止から供給に切り替える場合（電源をオンにする場合）
以下、電源をオンにする場合の特殊状態の例を説明する。
【００４８】
（ａ）工場出荷後に電力が供給されたことがない状態
輸送時の振動から画像処理部を保護するために、工場出荷の際に画像処理部が保護シートによって保護されている場合がある。例えば印刷部１２が電子写真方式によってシートに画像を印刷するものである場合、輸送時の振動によって感光体ドラムが他の構成部品に接触して傷ついてしまうことを防止するために、感光体ドラムと他の構成部品との間に保護シートを配置する場合がある。
【００４９】
その場合、保護シートを取り除かずに印刷を行うと複合機１内部の可動部に保護シートが巻き込まれてしまう虞がある。このため、保護シートを配置した場合は工場出荷後に最初に複合機１の電源をオンにする前にユーザによって保護シートが取り除かれることが望ましい。
しかしながら、ユーザはそれに気付かずに電源をオンにしてしまう可能性もある。従って、工場出荷後に画像処理部に電力が供給されたことがない状態は、保護シートが取り除かれていない可能性もあるので、通常電力制御操作により画像処理部に電力を供給することが望ましくない状態であるといえる。
ただし、ユーザによって保護シートが取り除かれている場合もあるので、電源をオンにすることを完全に禁止することは望ましくない。
【００５０】
設定記憶部１１には、工場出荷後に電力が供給されたことがあるか否かを示す出荷フラグが記憶されている。工場出荷の時点では出荷フラグには電力が供給されたことがない状態であることを示す値「オン」が設定されている。ＣＰＵ１０ａは出荷フラグを参照することにより、工場出荷後に電力が供給されたことがない状態であるか否かを判断する。出荷フラグは電力供給情報の一例である。
【００５１】
（ｂ）ジャムが解消されないまま電源がオフにされた状態
シートのジャムが発生した場合に、そのジャムが解消されないまま複合機１の電源がオフにされる可能性もある。その場合、ユーザは電源がオフの間にジャムを解消する作業を行う場合もあるが、行わない場合もある。
電源がオフの間にジャムが解消されていない場合は、複合機１の電源をオンにして印刷を行うとジャムが深刻化する虞がある。従って、ジャムが解消されないまま複合機１の電源がオフにされた状態は、通常電力制御操作により画像処理部に電力を供給することが望ましくない状態であるといえる。
ただし、電源がオフの間にジャムを解消する作業が行われている場合もあるので、電源をオンにすることを完全に禁止することは望ましくない。
【００５２】
ここで、ＣＰＵ１０ａはジャムが発生するとジャム発生中であることを示す情報を設定記憶部１１に記憶させるものとする。そして、ＣＰＵ１０ａは当該情報を参照することにより、ジャムが解消されないまま電源がオフにされたか否かを判断する。
【００５３】
（ｃ）画像処理部への電力の供給が停止されてからの経過時間が基準時間以内である状態
電力の供給を停止した直後はチャタリングによってＣＰＵ１０ａに誤信号が入力されてしまうことがある。チャタリング（ｃｈａｔｔｅｒｉｎｇ）とは、接点スイッチが切り替わった際に振動によって電気信号が断続を繰り返す現象をいう。画像処理部への電力の供給が停止されてからの経過時間が基準時間以内である状態は、電源キー１７ａから検出部１７ｂに入力された電気信号がチャタリングによって入力された誤信号であるか電源キー１７ａが押下されたことによって入力された信号であるかを区別できないので、通常電力制御操作により画像処理部に電力を供給することが望ましくない状態であるといえる。
ただし、経過時間が基準時間以内であってもユーザは複合機１を使用したい場合もあるので、電源をオンにすることを完全に禁止することは望ましくない。
なお、上述した基準時間は実験などによって適宜に決定することができる。
【００５４】
（３−２）供給から停止に切り替える場合（電源をオフにする場合）
以下、電源をオフにする場合の特殊状態の例を説明する。
【００５５】
（ａ）ジャムが解消されていない状態
ジャムが発生した場合は、ジャムが解消された後に特定の処理を実行することがある。複合機１の電源がオフにされ、その後電源がオンにされたときにジャムが発生していない状態だと、それが電源がオフにされている間にジャムが解消された状態なのか電源オフ時にジャムが発生していなかった状態だったのかが判らず、上述した特定の処理を実行すべきか否かを正確に判断することが困難になる。このため、ジャムが発生した場合は複合機１の電源をオフにする前にジャムを解消することが望ましい。
【００５６】
つまり、ジャムが解消されていない状態は、通常電力制御操作により画像処理部への電力の供給を停止することが望ましくない状態であるといえる。ジャムが解消されていない状態は、画像処理部に異常が発生している状態の一例である。
ただし、ユーザはジャムが解消されていないことを承知の上で複合機１の電源をオフにしたい場合もあるので、電源をオフにすることを完全に禁止することは望ましくない。
【００５７】
（ｂ）消えてしまった場合の影響が大きいデータがＲＡＭ１０ｃに記憶されている状態
ＲＡＭ１０ｃに記憶されているデータとは、前述した印刷待ち状態の印刷ジョブ、認証待ち状態のセキュア印刷ジョブ、印刷待ち状態のセキュア印刷ジョブ、ＦＡＸ送信待ち状態の画像データ、複合機１の状態を示す情報などである。
これらのデータには、複合機１の電源がオフにされてＲＡＭ１０ｃから消えてしまっても影響が小さいものと、ＲＡＭ１０ｃから消えてしまうと影響が大きいものとがある。
【００５８】
例えばＰＣプリント機能によって受信した通常の印刷ジョブは、消えてしまってもユーザが再度ＰＣから印刷ジョブを送信し直せばよいので影響は小さいといえる。ＦＡＸ送信待ち状態の画像データも原稿を再度読み取ればよいので影響は小さいといえる。複合機１の状態を示す情報も、消えてしまった場合の影響は小さいといえる。
【００５９】
これに対し、ＦＡＸ受信した画像データに基づいて生成された印刷ジョブは、消えてしまうと送信元に再送信を依頼しなければならないので影響が大きいといえる。また、セキュア印刷ジョブは通信ネットワーク上で不正に取得されて機密情報が漏洩してしまう虞があるので何度も送信することは望ましくない。このため、セキュア印刷ジョブも影響が大きいといえる。
【００６０】
ここでは、消えてしまった場合の影響が大きいデータを第１種のデータに区分し、消えてしまった場合の影響が小さいデータを第２種のデータに区分する。第１種のデータがＲＡＭ１０ｃに記憶されている状態は、通常電力制御操作により画像処理部への電力の供給を停止することが望ましくない状態である。
ただし、ユーザはＲＡＭ１０ｃに第１種のデータが記憶されていることを承知の上で複合機１の電源をオフにしたい場合もあるので、電源をオフにすることを完全に禁止することは望ましくない。
【００６１】
なお、ＦＡＸ受信した画像データに基づいて生成された印刷ジョブであっても、送信元によっては消えてしまっても影響は小さい場合もある。そのため、ＦＡＸの送信元の電話番号とその送信元からＦＡＸ受信した画像データが消えてしまった場合の影響の大小とを対応付けておき、それに基づいて第１種のデータであるか否かを個別に判断してもよい。
【００６２】
また、データを第１種のデータと第２種のデータとに区分する基準は、データが消えてしまった場合の影響の大きさに限られるものではない。例えばデータの重要度によって区分してもよい。具体的には例えば、ＰＣプリント機能の場合に、印刷ジョブに付加されているユーザＩＤから重要度を判断して第１種のデータであるか否かを判断してもよい。データを第１種のデータと第２種のデータとに区分する基準は適宜に設定することができる。この設定はユーザが行ってもよいし、予め複合機１に固定で設定されていてもよい。
【００６３】
また、ここでは上述したデータを揮発性のメモリであるＲＡＭ１０ｃに記憶する場合を例に説明するが、複合機１の機種によっては上述したデータをフラッシュメモリやハードディスクなどの不揮発性のメモリに記憶するものもある。上述したデータを不揮発性のメモリに記憶する機種の場合は、データが記憶されている状態で電源をオフにしてもデータは消えないので、第１種のデータが記憶されている状態であっても特殊状態ではないことになる。
【００６４】
（４）ＣＰＵによる電源オン処理、及び、電源オフ処理
ＣＰＵ１０ａは、電力制御操作が開始されると、複合機１の状態が特殊状態であるか否かを判断し、特殊状態ではない場合は電源部１６を制御して画像処理部に電力を供給する動作又は電力の供給を停止する動作を行わせる。
一方、特殊状態である場合は、ＣＰＵ１０ａは電源キー１７ａによって受け付けられた電力制御操作が特殊電力制御操作であるか否かを判断し、特殊電力制御操作である場合は電源部１６に上述した動作を行わせ、特殊電力制御操作ではない場合、すなわち通常電力制御操作である場合は上述した動作を行わせない。
【００６５】
複合機１の状態が特殊状態である場合に通常電力制御操作が受け付けられても電源部１６に上述した動作を行わせない理由は、ユーザは特殊状態であることを知らずに電源をオン／オフしようとしている可能性があるからである。
一方、複合機１の状態が特殊状態であっても特殊電力制御操作が受け付けられた場合に電源部１６に上述した動作を行わせる理由は、ユーザは通常電力制御操作とは異なる特殊電力制御操作を敢えて行っていることから、特殊状態であることを承知の上で電源をオン／オフしようとしていると推測できるからである。
以下、電力制御操作が検出されたときのＣＰＵ１０ａの処理について、電源オン処理と電源オフ処理とに分けて説明する。
【００６６】
（４−１）電源オン処理
先ず、図２を参照して、電源オン処理について説明する。本処理は複合機１の電源がオフのときに検出部１７ｂによって電力制御操作が検出され、それにより検出部１７ｂが電源部１６を制御してＣＰＵ１０ａに電力を供給させることによってＣＰＵ１０ａが起動した後、検出部１７ｂからＣＰＵ１０ａに電力制御操作が開始されたことが通知されると開始される。
【００６７】
Ｓ１０１では、ＣＰＵ１０ａは複合機１の状態が特殊状態であるか否かを判断する「電源をオンにする場合における状態判断処理」を実行する。
詳しくは後述するが、「電源をオンにする場合における状態判断処理」では、特殊状態である場合には特殊状態であるか否かを示す特殊状態フラグに「オン」が設定される。
【００６８】
Ｓ１０２では、ＣＰＵ１０ａは上述した特殊状態フラグを参照して特殊状態であるか否かを判断し、特殊状態である場合はＳ１０３に進み、特殊状態ではない場合はＳ１０４に進む。
【００６９】
Ｓ１０３では、ＣＰＵ１０ａは検出部１７ｂから通知された電力制御操作が特殊電力制御操作（長押し）であるか否かを判断する。ただし、Ｓ１０３の時点では未だユーザが電力制御操作を行っている途中であり、検出部１７ｂから電力制御操作が通知されていない場合もある。その場合は検出部１７ｂから電力制御操作が通知されるのを待って判断するものとする。Ｓ１０３は特殊操作判断処理の一例である。
ＣＰＵ１０ａは、検出部１７ｂから通知された電力制御操作が特殊電力制御操作である場合はＳ１０４に進み、特殊電力制御操作でない場合、すなわち通常電力制御操作である場合は本処理を終了する。
【００７０】
Ｓ１０４では、ＣＰＵ１０ａは電源部１６を制御して複合機１の各部に電力を供給する動作を行わせる。これにより複合機１の電源がオンになる。Ｓ１０４は電力制御処理の一例である。
ここで、実施形態１ではＳ１０２で特殊状態ではないと判断された場合は検出部１７ｂから通知された電力制御操作が通常電力制御操作であるか特殊電力制御操作であるかを判断することなくＳ１０４に進むので、特殊状態ではない場合は通常電力制御操作及び特殊電力制御操作のいずれの操作が行われても電源がオンにされることになる。
【００７１】
次に、図３を参照して、Ｓ１０１で実行される「電源をオンにする場合における状態判断処理」について説明する。
【００７２】
Ｓ２０１では、ＣＰＵ１０ａは特殊状態フラグに初期値として特殊状態ではないことを示す値「オフ」を設定する。
Ｓ２０２では、ＣＰＵ１０ａは前述した出荷フラグがオンであるか否かを判断し、オンの場合はＳ２０３に進み、オフの場合はＳ２０５に進む。
Ｓ２０３では、ＣＰＵ１０ａは出荷フラグに、工場出荷後に電力が供給されたことがあることを示す値「オフ」を設定する。
【００７３】
Ｓ２０４では、ＣＰＵ１０ａは特殊状態フラグに特殊状態であることを示す値「オン」を設定する。Ｓ２０４の処理を実行した後は図２の処理に戻る。
Ｓ２０５では、ＣＰＵ１０ａはジャムが解消されないまま電源がオフされたか否かを判断する。ＣＰＵ１０ａはジャムが解消されないまま電源をオフする際にジャム発生中であることを示す情報を設定記憶部１１に記憶させるものとする。そして、ＣＰＵ１０ａは当該情報を参照することにより、ジャムが解消されないまま電源がオフにされたか否かを判断する。ＣＰＵ１０ａは、ジャムが解消されないまま電源がオフされた場合はＳ２０４に進み、そうでない場合はＳ２０６に進む。ジャムが解消されないまま電源がオフにされた場合はＳ２０４に進むので、特殊状態フラグに特殊状態であることを示す値「オン」が設定される。
【００７４】
Ｓ２０６では、ＣＰＵ１０ａは電源がオフにされたときからの経過時間が前述した基準時間以内であるか否かを判断する。ここで、電源がオフにされたときからの経過時間は検出部１７ｂによって計測が行われており、ＣＰＵ１０ａはその時間を参照するものとする。
ＣＰＵ１０ａは、経過時間が基準時間以内である場合はＳ２０４に進み、基準時間を超えている場合は本処理を終了して図２の処理に戻る。基準時間以内である場合はＳ２０４に進むので、特殊状態フラグに特殊状態であることを示す値「オン」が設定される。
【００７５】
（４−２）電源オフ処理
次に、図４を参照して、電源オフ処理について説明する。本処理は複合機１の電源がオンのときに検出部１７ｂからＣＰＵ１０ａに電力制御操作が開始されたことが通知されると開始される。
【００７６】
電源オフ処理は電源オン処理のＳ１０１に替えてＳ３０１が実行される点、Ｓ１０４に替えてＳ３０２が実行される点を除いて実質的に同一である。ここでは電源オン処理と実質的に同一の処理については同一の符号を付して説明を省略する。
【００７７】
Ｓ３０１では、ＣＰＵ１０ａは複合機１の状態が特殊状態であるか否かを判断する「電源をオフにする場合における状態判断処理」を実行する。
Ｓ３０２では、ＣＰＵ１０ａは電源部１６を制御して検出部１７ｂ以外への電力の供給を停止する動作を行わせる。これにより複合機１の電源がオフになる。Ｓ３０２は電力制御処理の一例である。ここで、検出部１７ｂは電源をオフしたときからの経過時間の計測を開始する。
【００７８】
次に、図５を参照して、Ｓ３０１で実行される「電源をオフにする場合における状態判断処理」について説明する。
【００７９】
Ｓ４０１では、ＣＰＵ１０ａは特殊状態フラグに初期値として特殊状態ではないことを示す値「オフ」を設定する。
Ｓ４０２では、ＣＰＵ１０ａはジャムが発生しているか否かを判断し、ジャムが発生している場合はＳ４０３に進み、発生していない場合はＳ４０４に進む。
Ｓ４０３では、ＣＰＵ１０ａは特殊状態フラグに特殊状態であることを示す値「オン」を設定する。
【００８０】
Ｓ４０４では、ＣＰＵ１０ａは前述した印刷待ち状態の印刷ジョブ、認証待ち状態のセキュア印刷ジョブ、ＦＡＸ送信待ち状態の画像データ、複合機１の状態を示す情報などのデータがＲＡＭ１０ｃに記憶されているか否かを判断し、記憶されている場合はＳ４０５に進み、記憶されていない場合は本処理を終了して図４の処理に戻る。
Ｓ４０５では、ＣＰＵ１０ａはデータが揮発性メモリであるＲＡＭ１０ｃに記憶されているか又はフラッシュメモリやハードディスクなどの不揮発性メモリに記憶されているかを判断する。データが揮発性メモリに記憶されるか不揮発性メモリに記憶されるかは複合機１の機種によって決まるので、ＣＰＵ１０ａは複合機１の機種を判断することによって揮発性メモリに記憶されているか不揮発性メモリに記憶されているかを判断する。ＣＰＵ１０ａは、データが揮発性メモリに記憶されている場合はＳ４０６に進み、不揮発性メモリに記憶されている場合は本処理を終了して図４の処理に戻る。
【００８１】
Ｓ４０６では、ＣＰＵ１０ａはＲＡＭ１０ｃに記憶されているデータの中に第１種のデータが含まれているか否かを判断し、第１種のデータが含まれている場合はＳ４０３に進み、第１種のデータが含まれていない場合、すなわち第２種のデータのみである場合は本処理を終了して図４の処理に戻る。第１種のデータが含まれている場合はＳ４０３に進むので、特殊状態フラグに特殊状態であることを示す値「オン」が設定される。
【００８２】
（５）実施形態の効果
複合機１によると、特殊状態ではない場合は、通常電力制御操作及び特殊電力制御操作のいずれの操作が行われても電力の供給／停止が切り替えられる。これに対し、特殊状態である場合は特殊電力制御操作でなければ電力の供給／停止が切り替えられない。
このため、普段通常電力制御操作によって電力の供給／停止を切り替えているユーザの場合は、ユーザが特殊状態であることに気付かずに通常電力制御操作を行ってしまっても電力の供給／停止が切り替えられない。
通常電力制御操作を行っても電力の供給／停止が切り替えられない場合は、ユーザは特殊状態であることに気付くことができる。その場合、ユーザは特殊状態であると判断された原因を解消した上で通常電力制御操作を行うことにより、あるいは特殊状態であることを承知の上で電力の供給／停止を切り替えたい場合はそのまま特殊電力制御操作を行うことにより、電力の供給／停止を切り替えることができる。
よって複合機１によると、画像処理装置の状態が通常電力制御操作により当該画像処理部への電力の供給／停止を切り替えることが望ましくない特殊状態である場合に、ユーザがそのことに気付かずに電力の供給／停止を切り替えてしまうことを抑制しつつ、特殊状態であることを承知の上で電力の供給／停止を切り替えたいユーザが電力の供給／停止を切り替えることができる。
【００８３】
更に、複合機１によると、工場出荷後に画像処理部に電力が供給されたことがない場合は通常電力制御操作が受け付けられても画像処理部に電力を供給しないことにより、保護シートが取り除かれずに画像処理部に電力が供給されてしまう虞を低減できる。
【００８４】
更に、複合機１によると、チャタリングによって画像処理部に誤って電力が供給されてしまうことを低減できる。
【００８５】
更に、複合機１によると、消えてしまうと影響が大きい第１種のデータがＲＡＭ１０ｃに記憶されている場合は通常電力制御操作が受け付けられても画像処理部に電力を供給しないことにより、消えてしまった場合の影響が大きいデータを消え難くすることができる。
【００８６】
更に、複合機１によると、ジャムが発生している場合は通常電力制御操作が受け付けられても画像処理部への電力の供給／停止を切り替えないので、ジャムが発生している状態で電力の供給／停止が切り替えられてしまう虞を低減できる。
【００８７】
更に、複合機１によると、特殊電力制御操作は通常電力制御操作よりも複雑な操作であるので、特殊状態である場合に、特殊状態であることを知らないユーザによって容易に電力の供給／停止が切り替えられてしまい難くすることができる。なお、通常電力制御操作よりも複雑な操作とは、通常電力制御操作よりも時間のかかる操作、通常電力制御操作よりも電源キー１７ａを押下する回数が多い操作、あるいは、通常電力制御操作よりも操作するキーの数が多い操作ということもできる。
【００８８】
＜実施形態２＞
次に、実施形態２を図６によって説明する。
実施形態１では、複合機１の状態が特殊状態でない場合は、通常電力制御操作であっても特殊電力制御操作であっても電力を供給する動作又は電力の供給を停止する動作を電源部１６に動作を行わせる。これに対し、実施形態２では、複合機１の状態が特殊状態でない場合であっても、通常電力制御操作ではない場合は電源部１６に当該動作を行わせない。
【００８９】
図６を参照して、実施形態２に係る電源オン処理について説明する。ここでは実施形態１と実質的に同一の処理には同一の符号を付して説明を省略する。
ＣＰＵ１０ａは、Ｓ１０２において特殊状態ではないと判断された場合は、Ｓ５０１において、検出部１７ｂから通知された電力制御操作が通常電力制御操作であるか否かを判断する。そして、ＣＰＵ１０ａは、通常電力制御操作である場合はＳ１０４に進み、通常電力制御操作ではない場合は本処理を終了する。Ｓ５０１は通常操作判断処理の一例である。
【００９０】
Ｓ５０１で通常電力制御操作であると判断した場合はＳ１０４に進むので、複合機１の電源がオンにされる。これに対し、通常電力制御操作ではない場合、すなわち特殊電力制御操作である場合は本処理を終了するので、複合機１の電源はオンにされない。
【００９１】
以上説明した実施形態２に係る複合機１によると、複合機１の状態が特殊状態ではない場合は、通常電力制御操作しか受け付けられない。このようにすると、全てのユーザについて、特殊状態ではないときの電力制御操作と特殊状態であるときの電力制御操作とを異ならせることができるので、特殊状態であることに気付かずに電力の供給／停止が切り替えられることをより確実に低減できる。
なお、ここでは電源オン処理を例に説明したが、電源オフ処理についても同様である。
【００９２】
＜他の実施形態＞
上記記述及び図面によって説明した実施形態に限定されるものではなく、例えば次のような実施形態も技術的範囲に含まれる。
【００９３】
（１）上記実施形態では複合機１の電源をオンにする場合及びオフにする場合の両方について、特殊状態であるか否かを判断しているが、いずれか一方の場合のみ判断し、他方の場合には特殊状態であるか否かを判断することなく電源をオンまたはオフするようにしてもよい。
【００９４】
（２）上記実施形態では、検出部１７ｂは電力制御操作が開始されたこと、及び、行われた電力制御操作をそれぞれ別々にＣＰＵ１０ａに通知する場合を例に説明した。これに対し、検出部１７ｂは、電力制御操作が開始されたことについてはＣＰＵ１０ａに通知せず、ユーザによる電力制御操作が完了した後に、その電力制御操作を通知してもよい。
言い換えると、ＣＰＵ１０ａは電力制御操作が開始されるとその電力制御操作が完了するのを待たずに状態判断処理を開始してもよいし、電力制御操作が開始されるとその電力制御操作が完了するのを待って状態判断処理を開始してもよい。
【００９５】
（３）上記実施形態では特殊電力制御操作が「長押し」である場合を例に説明したが、特殊電力制御操作は通常電力制御操作と異なる操作であれば「長押し」に限られない。例えば、特殊電力制御操作は電源キー１７ａを特定のパターンで断続的に押下する操作であってもよい。
また、電源操作部１７は一つの電源キー１７ａによって構成されるものに限られるものではなく、例えば２つの操作キーで構成されてもよい。そして、通常電力制御操作はそのうちいずれか一方を短押しする操作であり、特殊電力制御操作は二つの操作キーを同時に押す操作であってもよい。
【００９６】
（４）上記実施形態では通常電力制御操作よりも特殊電力制御操作の方が複雑な操作である場合を例に説明した。しかしながら、少なくとも通常電力制御操作と特殊電力制御操作とが異なっていればよく、通常電力制御操作の方が特殊電力制御操作よりも複雑であってもよい。
【００９７】
（５）上記実施形態ではＲＡＭ１０ｃに第２種のデータが記憶されていても第１種のデータが記憶されていなければ特殊状態ではないと判断する場合を例に説明した。これに対し、ＲＡＭ１０ｃにデータが記憶されている場合はそのデータの区分によらず特殊状態であると判断してもよい。
【００９８】
（６）上記実施形態では画像処理部に異常が発生している状態としてジャムが発生している状態を例に説明した。しかしながら、画像処理部に異常が発生している状態は、異常が発生していることによって電力の供給／停止を切り替えることが望ましくない状態であれば他の状態であってもよい。例えば、画像処理部を構成するいずれかの構成部品に故障が発生している状態であってもよい。
【００９９】
（７）上記実施形態１では最初に特殊状態であるか否かを判断し、その後に特殊電力制御操作であるか否かを判断する場合を例に説明した。しかしながら、判断の順序はこれに限定されるものではなく、適宜に決定することができる。例えば最初に特殊電力制御操作であるか否かを判断し、その後に特殊状態であるか否かを判断してもよい。実施形態２についても同様である。
【０１００】
（８）上記実施形態では制御部１０が一つのＣＰＵ１０ａを備える場合を例に説明した。これに対し、制御部１０は複数のＣＰＵによって構成されてもよいし、ＡＳＩＣによって構成されてもよいし、１以上のＣＰＵと１以上のＡＳＩＣとの組み合わせによって構成されてもよい。
【符号の説明】
【０１０１】
１・・・複合機、１０・・・制御部、１０ａ・・・ＣＰＵ、１０ｂ・・・ＲＯＭ、１０ｃ・・・ＲＡＭ、１１・・・設定記憶部、１２・・・印刷部、１３・・・画像読取部、１４・・・ＦＡＸ送受信部、１５・・・操作パネル、１６・・・電源部、１７ａ・・・電源キー、１７ｂ・・・検出部、１８・・・通信インタフェース部
【図１】
0005939024.tif 000002
【図２】
0005939024.tif 000003
【図３】
0005939024.tif 000004
【図４】
0005939024.tif 000005
【図５】
0005939024.tif 000006
【図６】
0005939024.tif 000007